(57)【要約】【課題】  通信に影響することなく、ＧＷ装置ベンダーでのＭＡＣアドレス取得／管理／運用のコストや管理工数を軽減し、ＭＡＣアドレス枯渇の軽減に貢献可能なゲートウェイ装置を提供する。【解決手段】  ＧＷ装置３のＬＡＮインタフェース３１は、ＭＡＣアドレス管理機関に管理されていないＭＡＣアドレス（ＭＡＣ−Ｌ）を持つ。ＭＡＣアドレス抽出機能３３はＬＡＮインタフェース３１におけるＥｔｈｅｒｎｅｔ（登録商標）通信を行う上で生成されたＡＲＰテーブル３２からＭＡＣアドレスを読み取り、ＷＡＮインタフェース３５側で利用するＭＡＣアドレスを抽出する。ＧＷ装置３のＭＡＣアドレス設定機能３４はＡＲＰテーブル３２上から抽出されたＭＡＣアドレスをＷＡＮインタフェース３５に設定する。ＷＡＮインタフェース３５は設定されたＭＡＣアドレスにてＷＡＮ２００側への通信を開始する。【選択図】      図２
2007201648.tif 000002
【特許請求の範囲】
【請求項１】
ＭＡＣ（Ｍｅｄｉａ  Ａｃｃｅｓｓ  Ｃｏｎｔｒｏｌ）アドレスが付与されたネットワーク機器が接続されるＬＡＮ（Ｌｏｃａｌ  Ａｒｅａ  Ｎｅｔｗｏｒｋ）と、前記ＬＡＮにゲートウェイ装置を介して接続されるＷＡＮ（Ｗｉｄｅ  Ａｒｅａ  Ｎｅｔｗｏｒｋ）とを含み、前記ゲートウェイ装置に付与されたＭＡＣアドレスを用いて前記ＷＡＮ側との通信を行う通信システムであって、
前記ゲートウェイ装置は、前記ＬＡＮに接続するためのＬＡＮ側インタフェースと、前記ＷＡＮに接続するためのＷＡＮ側インタフェースと、前記ＬＡＮ側のネットワーク機器の前記ＭＡＣアドレスを抽出する抽出手段と、前記抽出手段で抽出されたＭＡＣアドレスを予め設定された制限事項情報と比較して前記ゲートウェイ装置における前記ＷＡＮ側のＭＡＣアドレスとして利用可能か否かを判断する判断手段と、前記抽出手段で抽出されたＭＡＣアドレスが前記ＷＡＮ側のＭＡＣアドレスとして利用可能と判断された時に前記抽出手段で抽出されたＭＡＣアドレスを前記ＷＡＮ側インタフェースに設定する設定手段とを有することを特徴とする通信システム。
【請求項２】
前記抽出手段は、前記ＬＡＮ側インタフェースにおいてＬＡＮ通信を行う上で生成されるＡＲＰ（Ａｄｄｒｅｓｓ  Ｒｅｓｏｌｕｔｉｏｎ  Ｐｒｏｔｏｃｏｌ）テーブルから前記ＭＡＣアドレスを抽出することを特徴とする請求項１記載の通信システム。
【請求項３】
前記制限事項情報として特定のＭＡＣアドレスが設定することで当該ＭＡＣアドレスを使用する特定装置が前記ＬＡＮに接続されるまで前記ＷＡＮ側の通信を不可とすることを特徴とする請求項１または請求項２記載の通信システム。
【請求項４】
ＷＡＮ（Ｗｉｄｅ  Ａｒｅａ  Ｎｅｔｗｏｒｋ）とＬＡＮ（Ｌｏｃａｌ  Ａｒｅａ  Ｎｅｔｗｏｒｋ）とを接続するゲートウェイ装置であって、
前記ＬＡＮ側のネットワーク機器で使用されるＭＡＣ（Ｍｅｄｉａ  Ａｃｃｅｓｓ  Ｃｏｎｔｒｏｌ）アドレスを抽出する抽出手段と、その抽出されたＭＡＣアドレスを予め設定された制限事項情報と比較して自装置における前記ＷＡＮ側のＭＡＣアドレスとして利用可能か否かを判断する判断手段と、前記抽出されたＭＡＣアドレスを前記ＷＡＮ側のＭＡＣアドレスとして利用可能と判断した時にそのＭＡＣアドレスを前記ＷＡＮ側のインタフェースに設定する設定手段とを有することを特徴とするゲートウェイ装置。
【請求項５】
前記抽出手段は、前記ＬＡＮ側のインタフェースにおいてＬＡＮ通信を行う上で生成されるＡＲＰ（Ａｄｄｒｅｓｓ  Ｒｅｓｏｌｕｔｉｏｎ  Ｐｒｏｔｏｃｏｌ）テーブルから前記ＭＡＣアドレスを抽出することを特徴とする請求項４記載のゲートウェイ装置。
【請求項６】
前記ＷＡＮ側のインタフェースは、前記設定手段によって設定されたＭＡＣアドレスにて前記ＷＡＮ側の通信を行うことを特徴とする請求項４または請求項５記載のゲートウェイ装置。
【請求項７】
前記制限事項情報として特定のＭＡＣアドレスが設定することで当該ＭＡＣアドレスを使用する特定装置が前記ＬＡＮに接続されるまで前記ＷＡＮ側の通信を不可とすることを特徴とする請求項４から請求項６のいずれか記載のゲートウェイ装置。
【請求項８】
ＭＡＣ（Ｍｅｄｉａ  Ａｃｃｅｓｓ  Ｃｏｎｔｒｏｌ）アドレスが付与されたネットワーク機器が接続されるＬＡＮ（Ｌｏｃａｌ  Ａｒｅａ  Ｎｅｔｗｏｒｋ）と、前記ＬＡＮにゲートウェイ装置を介して接続されるＷＡＮ（Ｗｉｄｅ  Ａｒｅａ  Ｎｅｔｗｏｒｋ）とを含み、前記ゲートウェイ装置に付与されたＭＡＣアドレスを用いて前記ＷＡＮ側との通信を行う通信システムに用いる端末ＭＡＣアドレスリユース方法であって、
前記ゲートウェイ装置が、前記ＬＡＮに接続するためのＬＡＮ側インタフェースと、前記ＷＡＮに接続するためのＷＡＮ側インタフェースとを備え、前記ＬＡＮ側のネットワーク機器の前記ＭＡＣアドレスを抽出し、その抽出したＭＡＣアドレスを予め設定された制限事項情報と比較して前記ゲートウェイ装置における前記ＷＡＮ側のＭＡＣアドレスとして利用可能か否かを判断し、前記抽出したＭＡＣアドレスが前記ＷＡＮ側のＭＡＣアドレスとして利用可能と判断された時に前記抽出したＭＡＣアドレスを前記ＷＡＮ側インタフェースに設定することを特徴とする端末ＭＡＣアドレスリユース方法。
【請求項９】
前記ゲートウェイ装置が、前記ＬＡＮ側インタフェースにおいてＬＡＮ通信を行う上で生成されるＡＲＰ（Ａｄｄｒｅｓｓ  Ｒｅｓｏｌｕｔｉｏｎ  Ｐｒｏｔｏｃｏｌ）テーブルから前記ＭＡＣアドレスを抽出することを特徴とする請求項８記載の端末ＭＡＣアドレスリユース方法。
【請求項１０】
前記制限事項情報として特定のＭＡＣアドレスが設定することで当該ＭＡＣアドレスを使用する特定装置が前記ＬＡＮに接続されるまで前記ＷＡＮ側の通信を不可とすることを特徴とする請求項８または請求項９記載の端末ＭＡＣアドレスリユース方法。
【請求項１１】
ＷＡＮ（Ｗｉｄｅ  Ａｒｅａ  Ｎｅｔｗｏｒｋ）とＬＡＮ（Ｌｏｃａｌ  Ａｒｅａ  Ｎｅｔｗｏｒｋ）とを接続するゲートウェイ装置に用いる端末ＭＡＣ（Ｍｅｄｉａ  Ａｃｃｅｓｓ  Ｃｏｎｔｒｏｌ）アドレスリユース方法であって、
前記ゲートウェイ装置が、前記ＬＡＮ側のネットワーク機器で使用されるＭＡＣアドレスを抽出し、その抽出されたＭＡＣアドレスを予め設定された制限事項情報と比較して前記ゲートウェイ装置における前記ＷＡＮ側のＭＡＣアドレスとして利用可能か否かを判断し、前記抽出されたＭＡＣアドレスを前記ＷＡＮ側のＭＡＣアドレスとして利用可能と判断した時に前記抽出されたＭＡＣアドレスを前記ＷＡＮ側のインタフェースに設定することを特徴とする端末ＭＡＣアドレスリユース方法。
【請求項１２】
前記ゲートウェイ装置が、前記ＬＡＮ側のインタフェースにおいてＬＡＮ通信を行う上で生成されるＡＲＰ（Ａｄｄｒｅｓｓ  Ｒｅｓｏｌｕｔｉｏｎ  Ｐｒｏｔｏｃｏｌ）テーブルから前記ＭＡＣアドレスを抽出することを特徴とする請求項１１記載の端末ＭＡＣアドレスリユース方法。
【請求項１３】
前記ゲートウェイ装置が、前記ＷＡＮ側のインタフェースに設定されたＭＡＣアドレスにて前記ＷＡＮ側の通信を行うことを特徴とする請求項１１または請求項１２記載の端末ＭＡＣアドレスリユース方法。
【請求項１４】
前記制限事項情報として特定のＭＡＣアドレスが設定することで当該ＭＡＣアドレスを使用する特定装置が前記ＬＡＮに接続されるまで前記ＷＡＮ側の通信を不可とすることを特徴とする請求項１１から請求項１３のいずれか記載の端末ＭＡＣアドレスリユース方法。
【発明の詳細な説明】
【技術分野】
【０００１】
本発明は通信システム、ゲートウェイ装置及びそれらに用いる端末ＭＡＣアドレスリユース方法に関し、特にＧＷ（ＧａｔｅＷａｙ）装置における端末ＭＡＣ（Ｍｅｄｉａ  Ａｃｃｅｓｓ  Ｃｏｎｔｒｏｌ）アドレスリユース機能に関する。
【背景技術】
【０００２】
Ｅｔｈｅｒｎｅｔ（登録商標）に接続される装置はＭＡＣアドレスを持ち、このＭＡＣアドレスは４８ビットのビット列によって識別され、前半２４ビットがＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ：米国電気電子学会）で管理されたベンダー固有のＩＤで、後半２４ビットが各ベンダーが管理している連番となり、世界中に１つしかないユニークな番号である。Ｅｔｈｅｒｎｅｔ（登録商標）上の通信を行う上で、ＭＡＣアドレスが同一の装置が存在することが許されないため、上記のようにユニークな番号が付与されている。
【０００３】
上記のように、管理機関によって管理されたＭＡＣアドレスは、使用料、管理費用等が発生し、それらがＧＷ装置メーカの負担となる。近年、Ｅｔｈｅｒｎｅｔ（登録商標）サービスの普及、ブロードバンド環境の普及からＭＡＣアドレスを利用する装置が増えている。
【０００４】
また、上位レイヤであるＩＰ（Ｉｎｔｅｒｎｅｔ  Ｐｒｏｔｏｃｏｌ）レイヤを例に取ると、ＩＰｖ４（ＩＰ  ｖｅｒｓｉｏｎ４）のアドレス枯渇問題によってＩＰｖ６（ＩＰ  ｖｅｒｓｉｏｎ６）が標準化され、これによってますますＭＡＣアドレスを利用する装置が増加すると考えられる。このように、ＭＡＣアドレスの利用が増加することによって、上記のＩＰｖ４の場合と同様に、ＭＡＣアドレスの枯渇問題も懸念されている。
【０００５】
Ｅｔｈｅｒｎｅｔ（登録商標）セグメント上の通信では、ＭＡＣアドレスがユニークでなければならない。同一のＭＡＣアドレスを持つ装置が同一のＥｔｈｅｒｎｅｔ（登録商標）セグメント上に配置された場合、通信に異常が発生する。
【０００６】
しかしながら、ＧＷ装置を挟んだ異なるＥｔｈｅｒｎｅｔ（登録商標）セグメント上では同一のＭＡＣアドレスを持った装置を配置しても、通信に異常が発生するという問題はない。ＭＡＣアドレスは世界中で唯一無二である必要はなく、同一セグメントのＥｔｈｅｒｎｅｔ（登録商標）上に同一のＭＡＣアドレスが存在しなければよい。
【０００７】
上述したＭＡＣアドレスを使用する通信装置や通信方法としては、以下に示すような特許文献１〜３に記載の技術がある。
【特許文献１】特開２００４−１７３１７０号公報
【特許文献２】特開２００４−２８９２５７号公報
【特許文献３】特開２００５−１２４０５１号公報
【発明の開示】
【発明が解決しようとする課題】
【０００８】
上述した従来のＧＷ装置では、ユニークな番号であるＭＡＣアドレスが使用されているが、管理団体からベンダー固有のＩＤ（ＩＤｅｎｔｉｆｉｅｒ）を受ける際に費用が発生し、ベンダー内における管理工数が発生するとともに、管理されていることによるＭＡＣアドレス空間利用の自由度が小さいという問題がある。
【０００９】
また、近年、ネットワークの普及によって、多種多様なネットワークサービスが存在しており、中でもＥｔｈｅｒｎｅｔ（登録商標）の利用が急激に増えている。一般の家庭内でもネットワークが構築され、接続装置としてはパーソナルコンピュータのみならず、プリンタ、ＦＡＸ（ファクシミリ）、コピー機、オーディオ関連、映像装置、白物家電まで幅広くなっている。
【００１０】
ネットワークが普及／急成長している中で、ＩＰｖ４アドレスの枯渇問題等によってＩＰｖ６アドレスが生まれ、ＩＰレイヤにおける問題を解消し始めている。ネットワーク普及とともに、ＩＰアドレスがＩＰｖ４から広大な空間を持つＩＰｖ６へと移行されている中で、上記のように、Ｅｔｈｅｒｎｅｔ（登録商標）に接続される装置も多種多様に増加し、ＭＡＣアドレスの４８Ｂｉｔ空間の枯渇が問題となってきている。
【００１１】
そこで、本発明の目的は上記の問題点を解消し、通信に影響することなく、ＧＷ装置ベンダーでのＭＡＣアドレス取得／管理／運用のコストや管理工数を軽減することができ、ＭＡＣアドレス枯渇の軽減に貢献することができる通信システム、ゲートウェイ装置及びそれに用いる端末ＭＡＣアドレスリユース方法を提供することにある。
【課題を解決するための手段】
【００１２】
本発明による通信システムは、ＭＡＣ（Ｍｅｄｉａ  Ａｃｃｅｓｓ  Ｃｏｎｔｒｏｌ）アドレスが付与されたネットワーク機器が接続されるＬＡＮ（Ｌｏｃａｌ  Ａｒｅａ  Ｎｅｔｗｏｒｋ）と、前記ＬＡＮにゲートウェイ装置を介して接続されるＷＡＮ（Ｗｉｄｅ  Ａｒｅａ  Ｎｅｔｗｏｒｋ）とを含み、前記ゲートウェイ装置に付与されたＭＡＣアドレスを用いて前記ＷＡＮ側との通信を行う通信システムであって、
前記ゲートウェイ装置は、前記ＬＡＮに接続するためのＬＡＮ側インタフェースと、前記ＷＡＮに接続するためのＷＡＮ側インタフェースと、前記ＬＡＮ側のネットワーク機器の前記ＭＡＣアドレスを抽出する抽出手段と、前記抽出手段で抽出されたＭＡＣアドレスを予め設定された制限事項情報と比較して前記ゲートウェイ装置における前記ＷＡＮ側のＭＡＣアドレスとして利用可能か否かを判断する判断手段と、前記抽出手段で抽出されたＭＡＣアドレスが前記ＷＡＮ側のＭＡＣアドレスとして利用可能と判断された時に前記抽出手段で抽出されたＭＡＣアドレスを前記ＷＡＮ側インタフェースに設定する設定手段とを備えている。
【００１３】
本発明によるゲートウェイ装置は、ＷＡＮ（Ｗｉｄｅ  Ａｒｅａ  Ｎｅｔｗｏｒｋ）とＬＡＮ（Ｌｏｃａｌ  Ａｒｅａ  Ｎｅｔｗｏｒｋ）とを接続するゲートウェイ装置であって、
前記ＬＡＮ側のネットワーク機器で使用されるＭＡＣ（Ｍｅｄｉａ  Ａｃｃｅｓｓ  Ｃｏｎｔｒｏｌ）アドレスを抽出する抽出手段と、その抽出されたＭＡＣアドレスを予め設定された制限事項情報と比較して自装置における前記ＷＡＮ側のＭＡＣアドレスとして利用可能か否かを判断する判断手段と、前記抽出されたＭＡＣアドレスを前記ＷＡＮ側のＭＡＣアドレスとして利用可能と判断した時にそのＭＡＣアドレスを前記ＷＡＮ側のインタフェースに設定する設定手段とを備えている。
【００１４】
本発明による端末ＭＡＣアドレスリユース方法は、ＭＡＣ（Ｍｅｄｉａ  Ａｃｃｅｓｓ  Ｃｏｎｔｒｏｌ）アドレスが付与されたネットワーク機器が接続されるＬＡＮ（Ｌｏｃａｌ  Ａｒｅａ  Ｎｅｔｗｏｒｋ）と、前記ＬＡＮにゲートウェイ装置を介して接続されるＷＡＮ（Ｗｉｄｅ  Ａｒｅａ  Ｎｅｔｗｏｒｋ）とを含み、前記ゲートウェイ装置に付与されたＭＡＣアドレスを用いて前記ＷＡＮ側との通信を行う通信システムに用いる端末ＭＡＣアドレスリユース方法であって、
前記ゲートウェイ装置が、前記ＬＡＮに接続するためのＬＡＮ側インタフェースと、前記ＷＡＮに接続するためのＷＡＮ側インタフェースとを備え、前記ＬＡＮ側のネットワーク機器の前記ＭＡＣアドレスを抽出し、その抽出したＭＡＣアドレスを予め設定された制限事項情報と比較して前記ゲートウェイ装置における前記ＷＡＮ側のＭＡＣアドレスとして利用可能か否かを判断し、前記抽出したＭＡＣアドレスが前記ＷＡＮ側のＭＡＣアドレスとして利用可能と判断された時に前記抽出したＭＡＣアドレスを前記ＷＡＮ側インタフェースに設定している。
【００１５】
本発明による他の端末ＭＡＣアドレスリユース方法は、ＷＡＮ（Ｗｉｄｅ  Ａｒｅａ  Ｎｅｔｗｏｒｋ）とＬＡＮ（Ｌｏｃａｌ  Ａｒｅａ  Ｎｅｔｗｏｒｋ）とを接続するゲートウェイ装置に用いる端末ＭＡＣ（Ｍｅｄｉａ  Ａｃｃｅｓｓ  Ｃｏｎｔｒｏｌ）アドレスリユース方法であって、
前記ゲートウェイ装置が、前記ＬＡＮ側のネットワーク機器で使用されるＭＡＣアドレスを抽出し、その抽出されたＭＡＣアドレスを予め設定された制限事項情報と比較して前記ゲートウェイ装置における前記ＷＡＮ側のＭＡＣアドレスとして利用可能か否かを判断し、前記抽出されたＭＡＣアドレスを前記ＷＡＮ側のＭＡＣアドレスとして利用可能と判断した時に前記抽出されたＭＡＣアドレスを前記ＷＡＮ側のインタフェースに設定している。
【００１６】
すなわち、本発明の通信システムは、ＧＷ（ＧａｔｅＷａｙ：ゲートウェイ）装置［ルータ、ＮＡＴ（Ｎｅｔｗｏｒｋ  Ａｄｄｒｅｓｓ  Ｔｒａｎｓｌａｔｉｏｎ）装置、ＦｉｒｅＷａｌｌ等］において、プライベートネットワーク側［以下、ＬＡＮ（Ｌｏｃａｌ  Ａｒｅａ  Ｎｅｔｗｏｒｋ）側とする］に接続される端末のＭＡＣ（Ｍｅｄｉａ  Ａｃｃｅｓｓ  Ｃｏｎｔｒｏｌ）アドレスを取得し、取得したＭＡＣアドレスを事前に設定された利用可否ルールにしたがって判定し、利用可能であればグローバルネットワーク側［以下、ＷＡＮ（Ｗｉｄｅ  Ａｒｅａ  Ｎｅｔｗｏｒｋ）側とする］のインタフェースへ該当のＭＡＣアドレスを設定し、ＷＡＮ側通信に利用することを特徴としている。
【００１７】
本発明の通信システムでは、ＬＡＮ側ネットワークとＷＡＮ側ネットワークとを接続するＧＷ装置において、従来の課題で述べている管理機関によって管理されたユニークなＭＡＣアドレスを持たず、ＧＷ装置のＬＡＮ側に接続されるパーソナルコンピュータ等の管理機関によって管理されたユニークなＭＡＣアドレスをＬＡＮ側Ｅｔｈｅｒｎｅｔ（登録商標）上の通信によって学習し、その管理されたＭＡＣアドレスを、あたかもＧＷ装置自身のＭＡＣアドレスであるかのようにＧＷ装置のＷＡＮ側で利用している。
【００１８】
これによって、本発明の通信システムでは、通信に影響することなく、ＧＷ装置ベンダーでのＭＡＣアドレス取得／管理／運用のコストや管理工数を軽減し、ＭＡＣアドレス枯渇の軽減に貢献することが可能となる。
【発明の効果】
【００１９】
本発明は、上記のような構成及び動作とすることで、通信に影響することなく、ＧＷ装置ベンダーでのＭＡＣアドレス取得／管理／運用のコストや管理工数を軽減することができ、ＭＡＣアドレス枯渇の軽減に貢献することができるという効果が得られる。
【発明を実施するための最良の形態】
【００２０】
次に、本発明の実施例について図面を参照して説明する。図１は本発明の一実施例による通信システムの構成を示すブロック図である。図１において、本発明の一実施例による通信システムはＷＡＮ（Ｗｉｄｅ  Ａｒｅａ  Ｎｅｔｗｏｒｋ）２００とＬＡＮ（Ｌｏｃａｌ  Ａｒｅａ  Ｎｅｔｗｏｒｋ）１００とを接続するＧＷ（ＧａｔｅＷａｙ：ゲートウェイ）装置３［ルータ、ＮＡＴ（Ｎｅｔｗｏｒｋ  Ａｄｄｒｅｓｓ  Ｔｒａｎｓｌａｔｉｏｎ）装置、ＦｉｒｅＷａｌｌ等］と、ＬＡＮ１００に接続するセットトップボックス（ＳＴＰ：Ｓｅｔ  Ｔｏｐ  Ｂｏｘ）１及びＰＣ（Ｐｅｒｓｏｎａｌ  Ｃｏｍｐｕｔｅｒ：パーソナルコンピュータ）２とから構成されている。ここで、ＷＡＮ２００はインタネットを示し、ＬＡＮ１００はプライベートなネットワーク空間を示す。
【００２１】
図２は図１のＧＷ装置３の構成を示すブロック図である。図２において、ＧＷ装置３はＬＡＮインタフェース（ＬＡＮ  Ｉ／Ｆ）３１［ＭＡＣ（Ｍｅｄｉａ  Ａｃｃｅｓｓ  Ｃｏｎｔｒｏｌ）−Ｌ］と、ＡＲＰ（Ａｄｄｒｅｓｓ  Ｒｅｓｏｌｕｔｉｏｎ  Ｐｒｏｔｏｃｏｌ）テーブル３２と、ＭＡＣアドレス抽出部３３と、ＭＡＣアドレス設定部３４と、ＷＡＮインタフェース（ＷＡＮ  Ｉ／Ｆ）３５（ＭＡＣ−Ｇ）とを備えている。尚、ＡＲＰテーブル３２には図示せぬＡＲＰ機能の動作時に得られるＩＰアドレス、ＭＡＣアドレスの対応が記憶される。ここで、ＡＲＰ機能はＩＰ（Ｉｎｔｅｒｎｅｔ  Ｐｒｏｔｏｃｏｌ）アドレスの情報から、そのＩＰアドレスに対応するノードのネットワーク機器のアドレス（本実施例ではＭＡＣアドレス）を求めるための機能である。
【００２２】
ＧＷ装置３のＬＡＮインタフェース３１は、ＭＡＣアドレス管理機関に管理されていないＭＡＣアドレス（ＭＡＣ−Ｌ）を持つ。ＭＡＣアドレス抽出機能３３はＬＡＮインタフェース３１におけるＥｔｈｅｒｎｅｔ（登録商標）通信を行う上で生成されたＡＲＰテーブル３２からＭＡＣアドレスを読み取り、ＷＡＮインタフェース３５側で利用するＭＡＣアドレスを抽出する。
【００２３】
このＭＡＣアドレス抽出部３３は、ＡＲＰテーブル３２上のＭＡＣアドレスからＭＡＣアドレス管理機関によって管理されたＭＡＣアドレスを抽出する。また、ＧＷ装置３はＡＲＰテーブル３２上から抽出されたＭＡＣアドレスをＷＡＮインタフェース３５に設定するＭＡＣアドレス設定部３４を持つ。
【００２４】
図３及び図５は本発明の一実施例によるＧＷ装置３の動作を説明するための図であり、図４は本発明の一実施例によるＧＷ装置３の動作を示すシーケンスチャートである。これら図１〜図５を参照して本発明の一実施例によるＧＷ装置３の動作について説明する。
【００２５】
ＰＣ（＃１）２−１がＥｔｈｅｒｎｅｔ（登録商標）上でＩＰ通信を開始する時、ＡＲＰ機能が動作してＧＷ装置３のＭＡＣアドレス情報を取得すると、ＰＣ（＃１）２−１は取得したＭＡＣアドレス情報を用いてＧＷ装置３との間で通信（ＬＡＮ通信）を行う（図４のａ１参照）。この動作に伴って、ＧＷ装置３ではＬＡＮインタフェース３１において、ＭＡＣアドレス情報とＩＰアドレス情報との管理を行うためのデータベースであるＡＲＰテーブル３２が生成される（図３及び図４のａ２参照）。ここで、ＡＲＰテーブル３２にはＰＣ（＃１）２−１のＩＰアドレス「ＩＰ  Ａｄｄｒｅｓｓ１」とＭＡＣアドレス「ＭＡＣ１」とが対で登録される。
【００２６】
ＡＲＰテーブル３２において、新たなテーブル（「ＩＰ  Ａｄｄｒｅｓｓ１」，「ＭＡＣ１」）が生成されると、ＭＡＣアドレス抽出部３３は生成されたＡＲＰテーブル３２の新たなテーブルからＭＡＣアドレス「ＭＡＣ１」を抽出し、抽出したＭＡＣアドレス「ＭＡＣ１」がＷＡＮインタフェース３５のＭＡＣアドレスとして利用可能かどうかを判定する（図４のａ３参照）。
【００２７】
ＭＡＣアドレス抽出部３３における判定は、ＡＲＰテーブル３２から抽出したＭＡＣアドレス「ＭＡＣ１」とＭＡＣアドレス判定情報とを比較することで実施される。ＭＡＣアドレス判定情報とは、ＭＡＣアドレス管理機関であるＩＥＥＥが定めたＭＡＣアドレスの利用条件を基に作成されるものである。
【００２８】
例えば、ＭＡＣアドレス管理機関で４８ｂｉｔで構成されるＭＡＣアドレスの上位２ｂｉｔが“０”であることが、管理されているＭＡＣアドレスを示す条件の一つとして定められている場合、抽出したＭＡＣアドレス「ＭＡＣ１」と「０ｘＣ０００００００」とを論理演算［ＡＮＤ（論理積）］を行う。その演算結果が「０ｘ００００００００」（オール０）であれば、ＭＡＣアドレス「ＭＡＣ１」の上位２ｂｉｔが“０”であることが証明され、条件を満たしていることになるので、ＭＡＣアドレス「ＭＡＣ１」をＷＡＮインタフェース３５のＭＡＣアドレスとして利用可能であると判定する。上記の条件が複数ある場合には、上述したように、論理演算等を利用して条件を満たすかどうかの判断を行う。
【００２９】
ＭＡＣアドレス抽出部３３においてＭＡＣアドレス「ＭＡＣ１」がＷＡＮインタフェース３５のＭＡＣアドレス「ＭＡＣ−Ｇ」として利用可能であると判断された場合、ＭＡＣアドレス設定部３４はＷＡＮインタフェース３５のＭＡＣアドレス「ＭＡＣ−Ｇ」にＭＡＣアドレス抽出部３３で抽出されたＭＡＣアドレス「ＭＡＣ１」を設定する（図４のａ４，ａ５参照）。ＷＡＮインタフェース３５はＭＡＣアドレス「ＭＡＣ−Ｇ」にＭＡＣアドレス「ＭＡＣ１」が設定されると、ＷＡＮ２００側への通信を開始する（図４のａ６参照）。
【００３０】
ＭＡＣアドレス抽出部３３によって利用不可の判断がなされた場合には、図５に示すように、ＬＡＮ１００側に接続されている他の端末、図５を参照するとパーソナルコンピュータ（＃２）２−２のＥｔｈｅｒｎｅｔ（登録商標）通信によってＡＲＰテーブル３２が生成されたことをトリガに、再度、ＭＡＣアドレス抽出部３３が動作する。これによって、ＷＡＮインタフェース３５においては、「ＭＡＣ−Ｇ」にパーソナルコンピュータ（＃２）２−２で使用される「ＭＡＣ２」が設定され、ＷＡＮ２００側への通信が開始される。
【００３１】
このように、本実施例では、ＬＡＮ１００側のネットワークとＷＡＮ２００側のネットワークとを接続するＧＷ装置３において、ＭＡＣアドレス管理機関によって管理されたユニークなＭＡＣアドレスを持たず、ＧＷ装置３のＬＡＮ１００側に接続されるパーソナルコンピュータ等において使用されかつＭＡＣアドレス管理機関によって管理されたユニークなＭＡＣアドレスをＬＡＮ１００側のＥｔｈｅｒｎｅｔ（登録商標）上の通信によって学習し、その管理されたＭＡＣアドレスを、あたかもＧＷ装置３自身のＭＡＣアドレスであるかのようにＧＷ装置３のＷＡＮ２００側で利用することで、通信に影響することなく、ＧＷ装置ベンダーでのＭＡＣアドレス取得／管理／運用のコストや管理工数を軽減することができ、ＭＡＣアドレス枯渇の軽減に貢献することができる。
【００３２】
図６は本発明の一実施例によるＧＷ装置３の他の動作例を説明するための図である。図６に示すように、ＭＡＣアドレス抽出部３３で利用するＭＡＣアドレス判定情報はＭＡＣアドレス管理機関によって規定された情報に限らず、ＭＡＣアドレス判定情報の設定者によって任意の設定を実施することが可能である。
【００３３】
ＭＡＣアドレス判定情報にある特定のネットワーク機器（ＮＷ機器）４のＭＡＣアドレス情報（図６において、ＮＷ機器４の「ＭＡＣ０」）が設定されている時、ＮＷ機器４がＥｔｈｅｒｎｅｔ（登録商標）通信を開始した時点で、本発明の機能によってＷＡＮ２００側への通信が開始される。本機能を利用することによって、ＬＡＮ１００側への特定装置接続までは、ＷＡＮ２００側の通信が不可能という通信規制機能も実現することができる。
【図面の簡単な説明】
【００３４】
【図１】本発明の一実施例による通信システムの構成を示すブロック図である。
【図２】図１のＧＷ装置の構成を示すブロック図である。
【図３】本発明の一実施例によるＧＷ装置の動作を説明するための図である。
【図４】本発明の一実施例によるＧＷ装置の動作を示すシーケンスチャートである。
【図５】本発明の一実施例によるＧＷ装置の動作を説明するための図である。
【図６】本発明の一実施例によるＧＷ装置の他の動作例を説明するための図である。
【符号の説明】
【００３５】
１  セットトップボックス
２，２−１，２−２  パーソナルコンピュータ
３  ゲートウェイ装置
４  ネットワーク機器
３１  ＬＡＮインタフェース
３２  ＡＲＰテーブル
３３  ＭＡＣアドレス抽出部
３４  ＭＡＣアドレス設定部
３５  ＷＡＮインタフェース
１００  ＬＡＮ
２００  ＷＡＮ
【図１】
2007201648.tif 000003
【図２】
2007201648.tif 000004
【図３】
2007201648.tif 000005
【図４】
2007201648.tif 000006
【図５】
2007201648.tif 000007
【図６】
2007201648.tif 000008